【手続補正書】
【提出日】平成17年2月14日(2005.2.14)
【手続補正１】
【補正対象書類名】明細書
【補正対象項目名】発明の名称
【補正方法】変更
【補正の内容】
【発明の名称】通信制御システムと通信装置および通信方法
【手続補正２】
【補正対象書類名】明細書
【補正対象項目名】特許請求の範囲
【補正方法】変更
【補正の内容】
【特許請求の範囲】
【請求項１】
複数の場所を結んで相互通信を行う通信装置の通信制御システムにおいて、
対話中の場所Ｘの個数分の映像情報をそれぞれ個別に映し出す複数のスクリーンと、場所Ｙ内の被写体を映し出す撮像手段と、上記場所Ｘからの音声を出力する音声出力手段と、上記被写体Ｙの目線を検知する目線検知手段とを有し、
上記撮像手段は上記被写体の目線と同一視できる位置から撮像され、
撮像された映像信号が複数の対話者側に音声と共に送出されると共に、
上記目線検知手段からの出力に基づいて上記被写体が現在対話している相手側を特定し、
特定された対話者が居る場所Ｘより送出された音声が、それ以外の場所Ｘより送出された音声よりも強調処理されるように上記音声出力手段に供給される音声信号が制御されることを特徴とする通信制御システム。
【請求項２】
上記目線検知手段として赤外光線が使用され、
上記被写体の瞳孔より反射した瞳孔検知信号に基づいて目線が検知されるようになされたことを特徴とする請求項１記載の通信制御システム。
【請求項３】
上記目線検知手段は、赤外光線発光手段と、この発光手段に対する点灯パターン発生手段とで構成されたことを特徴とする請求項１記載の通信制御システム。
【請求項４】
上記赤外光線発光手段は、上記撮像手段に取り付けられて使用されることを特徴とする請求項３記載の通信制御システム。
【請求項５】
上記赤外光線を間欠的に送出して瞳孔検知信号を得ると共に、上記赤外光線の非送出期間に得られる上記場所Ｙ内に設置されたそれぞれの撮像手段からの撮像信号が上記対話者側に送出されるようにしたことを特徴とする請求項２記載の通信制御システム。
【請求項６】
上記強調処理は、上記特定された対話者のいる場所Ｘからの音声の入力レベルを高くし、上記それ以外の場所Ｘからの音声の入力レベルを低くすることを特徴とする請求項１記載の通信制御システム。
【請求項７】
上記目線の存在が検知できなかったときは、上記場所Ｙ内に設けられたそれぞれのスクリーン側に対応する音声出力手段への音声入力レベルの大小によって、上記被写体と対話中にある対話者を特定するようにしたことを特徴とする請求項１記載の通信制御システム。
【請求項８】
上記それぞれの音声出力手段に与えられる音声入力レベルが比較され、
最も大きな音声入力レベルである話者を対話者として特定し、それ以外の対話者に関連した上記音声出力手段から放音される音量を絞り込むようにしたことを特徴とする請求項７記載の通信制御システム。
【請求項９】
複数の場所を結んで相互通信を行う通信装置において、
対話中の場所Ｘの個数分の映像情報をそれぞれ個別に映し出す複数のスクリーンと、場所Ｙ内の被写体を映し出す撮像手段と、上記場所Ｘからの音声を出力する音声出力手段と、上記被写体Ｙの目線を検知する目線検知手段とを有し、
上記撮像手段は上記被写体の目線と同一視できる位置から撮像され、
撮像された映像信号が複数の対話者側に音声と共に送出されると共に、
上記目線検知手段からの出力に基づいて上記被写体が現在対話している相手側を特定し、
特定された対話者が居る場所Ｘより送出された音声が、それ以外の場所Ｘより送出された音声よりも強調処理されて上記音声出力手段に供給されることを特徴とする通信装置。
【請求項１０】
複数の場所を結んで相互通信を行う通信装置において、場所Ｙ内の被写体を映し出す撮像手段と、上記場所Ｘからの音声を出力する音声出力手段と、上記被写体Ｙの目線を検知する目線検知手段とを有し、
被写体の目線と同一視できる位置から上記被写体を撮像するステップと、
上記被写体の目線を検知するステップと、
撮像された映像信号が対話中の複数の場所Ｘの対話者側に音声と共に送出されるステップと、
検知された上記被写体Ｙの目線情報に基づいて上記被写体が現在対話している相手側を特定し、特定された対話者が居る場所Ｘから送出された音声が、
それ以外の場所Ｘから送出された音声よりも強調処理されて出力されるステップを有することを特徴とする通信方法。
【手続補正３】
【補正対象書類名】明細書
【補正対象項目名】０００１
【補正方法】変更
【補正の内容】
【０００１】
【発明の属する技術分野】
この発明は、複数の場所を結んで相互通信を行うようにした通信制御システムと通信装置および通信方法に関する。詳しくは、複数の場所を結んで相互通信を行う場合に、話者の目線上に撮影手段を設置して話者の映像を捉えることによって、対話の違和感をなくすと共に、複数の対話者のうち、どの対話者と会話中にあるかを特定し、特定から洩れた対話者の音声を絞り込むことによって、話中にある対話者の音声判読を容易に行えるようにしたものである。
【手続補正４】
【補正対象書類名】明細書
【補正対象項目名】０００９
【補正方法】変更
【補正の内容】
【０００９】
そこで、この発明はこのような従来の課題を解決したものであって、多元ＴＶ会議などを行う場合でも、臨場感を維持しながら、特定話者の会話内容を容易に判読できるようにした通信制御システムと通信装置および通信方法を提案するものである。
【手続補正５】
【補正対象書類名】明細書
【補正対象項目名】００１０
【補正方法】変更
【補正の内容】
【００１０】
【課題を解決するための手段】
上述の課題を解決するため、請求項１に記載したこの発明に係る通信制御システムでは、複数の場所を結んで相互通信を行う通信装置の通信制御システムにおいて、対話中の場所Ｘの個数分の映像情報をそれぞれ個別に映し出す複数のスクリーンと、場所Ｙ内の被写体を映し出す撮影手段と、上記場所Ｘからの音声を出力する音声出力手段と、上記被写体Ｙの目線を検知する目線検知手段とを有し、上記撮影手段は上記被写体の目線と同一視できる位置から撮像され、撮像された映像信号が複数の対話者側に音声と共に送出されると共に、この目線検知手段からの出力に基づいて上記被写体が現在対話している相手側を特定し、特定された対話者が居る場所Ｘより送出された音声が、それ以外の場所Ｘより送出された音声よりも強調処理されるように上記音声出力手段に供給される音声信号が制御されることを特徴とする。また、この発明に係る通信装置では、複数の場所を結んで相互通信を行う通信装置において、対話中の場所Ｘの個数分の映像情報をそれぞれ個別に映し出す複数のスクリーンと、場所Ｙ内の被写体を映し出す撮像手段と、上記場所Ｘからの音声を出力する音声出力手段と、上記被写体Ｙの目線を検知する目線検知手段とを有し、上記撮像手段は上記被写体の目線と同一視できる位置から撮像され、撮像された映像信号が複数の対話者側に音声と共に送出されると共に、この目線検知手段からの出力に基づいて上記被写体が現在対話している相手側を特定し、特定された対話者が居る場所Ｘより送出された音声が、それ以外の場所Ｘより送出された音声よりも強調処理されて上記音声出力手段に供給されることを特徴とする。さらに、この発明に係る通信方法では、複数の場所を結んで相互通信を行う通信装置において、場所Ｙ内の被写体を映し出す撮像手段と、上記場所Ｘからの音声を出力する音声出力手段と、上記被写体Ｙの目線を検知する目線検知手段とを有し、被写体の目線と同一視できる位置から上記被写体を撮像するステップと、上記被写体の目線を検知するステップと、撮像された映像信号が対話中の複数の場所Ｘの対話者側に音声と共に送出されるステップと、検知された上記被写体Ｙの目線情報に基づいて上記被写体が現在対話している相手側を特定し、特定された対話者が居る場所Ｘから送出された音声が、それ以外の場所Ｘから送出された音声よりも強調処理されて出力されるステップを有することを特徴とする。
【手続補正６】
【補正対象書類名】明細書
【補正対象項目名】００１１
【補正方法】変更
【補正の内容】
【００１１】
この発明では、多元中継を行う場所Ｘの数だけ場所Ｙ内にスクリーンを設ける。そして、そのスクリーンに対して場所Ｙ内の話者の目線の方向にビデオカメラを設置する。例えば３つのスタジオＢ、Ｃ、ＤとスタジオＡとが結ばれているときには、３つのスクリーンと３台のビデオカメラを設置する。それぞれのスクリーンには対応するスタジオＢ、Ｃ、Ｄからの映像を映し出す。
【手続補正７】
【補正対象書類名】明細書
【補正対象項目名】００４８
【補正方法】変更
【補正の内容】
【００４８】
【発明の効果】
以上説明したようにこの発明では対話中の場所Ｘの個数分の映像情報を個別に映し出す複数のスクリーンを設け、このスクリーンに関して設けられた撮影手段は場所Ｙ内の被写体の目線と同一視できる位置から撮像されるようにしたものである。また、目線検知手段からの出力に基づいて被写体が現在対話している相手側を特定し、特定された対話者が居る場所Ｘより送出された音声が、それ以外の場所Ｘより送出された音声よりも強調処理されるように、音声出力手段に供給される音声信号を制御するようにしたものである。